(57)【要約】【課題】  診療に関するメモの意図をユーザに容易に理解させること。【解決手段】  実施形態によれば、表示制御部、受付部、及び関連付け部を備える。表示制御部は、診療情報を含む診療画面を表示する。受付部は、前記診療画面において指定された指定日時、及び当該診療画面に関するメモの入力を受け付ける。関連付け部は、前記メモに対して、当該メモが入力された入力日時、前記指定日時、及び前記メモが入力される際の診療画面に関する情報を関連付ける。【選択図】      図２
2020009014.tif 000002
【特許請求の範囲】
【請求項１】
診療情報を含む診療画面を表示する表示制御部と、
前記診療画面において指定された指定日時、及び当該診療画面に関するメモの入力を受け付ける受付部と、
前記メモに対して、当該メモが入力された入力日時、前記指定日時、及び前記メモが入力される際の診療画面に関する情報を関連付ける関連付け部と、
を備える医用情報表示装置。
【請求項２】
前記受付部は、前記メモを表示する表示指示を受け付け、
前記表示制御部は、前記表示指示されたメモと、当該メモに関連付けられた診療画面に関する情報とを共に表示する、
請求項１に記載の医用情報表示装置。
【請求項３】
前記診療画面に関する情報は、前記診療画面に含まれる前記診療情報の配置、及び表示期間を表すレイアウト情報を含み、
前記表示制御部は、前記レイアウト情報に基づいて、前記診療画面を復元し、前記表示指示されたメモと、前記復元した診療画面とを共に表示する、
請求項１又は２に記載の医用情報表示装置。
【請求項４】
前記表示制御部は、前記復元した診療画面が表示されている際に、一つ前の表示画面に遷移する旨の画面切替指示に従い、前記一つ前の表示画面を表示する、
請求項３に記載の医用情報表示装置。
【請求項５】
前記診療画面に関する情報は、当該診療画面をキャプチャした結果取得されるキャプチャ情報を含み、
前記表示制御部は、前記表示指示されたメモと、前記キャプチャ情報に基づくキャプチャ画面とを共に表示する、
請求項１又は２に記載の医用情報表示装置。
【請求項６】
前記診療画面に関する情報は、前記診療画面における前記診療情報の配置の目的を表すレイアウト保存名を含み、
前記表示制御部は、前記レイアウト保存名を表示する、
請求項１乃至５のうちいずれかに記載の医用情報表示装置。
【請求項７】
前記指定日時は、診療イベントが発生した日時、又は、予定された日時を含む、
請求項１乃至６のうちいずれかに記載の医用情報表示装置。
【発明の詳細な説明】
【技術分野】
【０００１】
本発明の実施形態は、医用情報表示装置に関する。
【背景技術】
【０００２】
患者の診療情報を統合的に観察することが可能な診療情報統合ビューアが実装されている医用情報表示装置では、医師等のユーザは、医用情報表示装置のディスプレイに表示されている患者の診療情報を統合的に観察し、患者の診断及び治療等を行うことが可能である。患者の診療情報には、例えば、医用画像を表す医用画像データ、及び電子カルテデータ等様々な種類の情報が含まれている。
【０００３】
このような統合ビューアが実装されている医用情報表示装置では、ユーザは、例えば、ディスプレイに表示される画面において、画像検査、検体検査、及び細菌検査等の検査結果、バイタルサイン、薬剤投与に関する情報、読影レポート、並びに、カルテ記載内容等の診療情報を、任意に選択し、所定の領域に配置して表示することができる。選択された診療情報は、例えば、パネルとして所定の領域に表示される。ユーザは、パネルのサイズを任意に変更することができる。また、ユーザは、複数の診療情報を異なる複数のパネルとして同時に表示することができる。また、ユーザは、診療情報毎に表示期間を任意に変更することができる。
【０００４】
ところで、ユーザは、医用情報表示装置が備えるディスプレイに表示されている患者の診療情報を見つつ、医用情報表示装置が備える入力インターフェースを介して、気付き、考えたこと、及び将来の予測等の所見、並びに、表示されている診療情報に関連するカンファレンス時の指摘事項等を、メモとして医用情報表示装置に入力する。入力されたメモは、例えば、所定のデータベースに登録される。このとき、入力メモとして登録される内容は、例えば、メモの内容、メモ記載者、メモ入力日時、診療イベントが発生した日時、及び診療イベントが予定された日時等である。診療イベントは、例えば、患者毎の画像検査、検体検査、細菌検査、バイタルサイン計測、薬剤投与、レポート作成、及びカルテ記載等である。
【０００５】
登録されたメモは、ユーザの表示指示に従い、例えば、診療イベントが発生した日時、又は診療イベントが予定された日時順に医用情報表示装置が備えるディスプレイに表示される。
【０００６】
しかしながら、例えば、メモを入力したユーザとは別のユーザ（第三者）が当該メモを参照した場合、メモの内容と診療イベントが発生した日時、又は診療イベントが予定された日時との関係を関連付ける情報が表示されていないため、メモの意図が理解できない場合がある。この第三者がメモの意図を理解するためには、メモ情報の入力者に直接問い合わせる、又は医用情報表示装置を操作してメモ入力時の患者の診療情報を検索して確認する等の追加作業が発生してしまう。第三者は、この追加作業を行わなかった場合、メモの意図が理解できないため、例えば、表示されているメモを無視する、又はメモの意図を誤理解して診療するおそれがある。
【０００７】
このような問題を回避するためには、メモを入力するユーザは、メモ入力時に、どのユーザが見てもわかるように詳細な情報を記載する必要があるが、この詳細な情報の記載作業はメモを入力するユーザにとって負担である。
【先行技術文献】
【特許文献】
【０００８】
【特許文献１】特開２０１０−１２４９３６号公報
【発明の概要】
【発明が解決しようとする課題】
【０００９】
本発明が解決しようとする課題は、診療に関するメモの意図を理解するために必要なユーザの負担を軽減することにある。
【課題を解決するための手段】
【００１０】
実施形態によれば、医用情報表示装置は、表示制御部、受付部、及び関連付け部を備える。表示制御部は、診療情報を含む診療画面を表示する。受付部は、前記診療画面において指定された指定日時、及び当該診療画面に関するメモの入力を受け付ける。関連付け部は、前記メモに対して、当該メモが入力された入力日時、前記指定日時、及び前記メモが入力される際の診療画面に関する情報を関連付ける。
【図面の簡単な説明】
【００１１】
【図１】図１は、第１の実施形態に係る医用情報表示装置が含まれる医療情報システムを表すブロック図である。
【図２】図２は、図１に示される医用情報表示装置の機能構成を示すブロック図である。
【図３】図３は、第１の実施形態に係る医用情報表示装置が、診療に関するメモを保存する際の処理回路の動作を表すフローチャートである。
【図４】図４は、第１の実施形態に係る医用情報表示装置のディスプレイに表示される診療画面、及びメモ入力ウィンドウを表す図である。
【図５】図５は、図１に示されるＤＷＨのメモリに記憶される第２レイアウト情報の例を示す図である。
【図６】図６は、第１の実施形態に係る医用情報表示装置が、診療に関するメモを表示する際の処理回路の動作を表すフローチャートである。
【図７】図７は、第１の実施形態に係る医用情報表示装置のディスプレイに表示されるメモ一覧を表す図である。
【図８】図８は、第１の実施形態に係る医用情報表示装置のディスプレイに表示されるメモウィンドウ、及び復元した診療画面を表す図である。
【図９】図９は、第１の実施形態に係る医用情報表示装置のディスプレイに表示されるレイアウト保存名を示す図である。
【図１０】図１０は、第２の実施形態に係る医用情報表示装置の機能構成を示すブロック図である。
【図１１】図１１は、第２の実施形態に係る医用情報表示装置が、診療に関するメモを保存する際の処理回路の動作を表すフローチャートである。
【図１２】図１２は、第２の実施形態に係る医用情報表示装置が、診療に関するメモを表示する際の処理回路の動作を表すフローチャートである。
【図１３】図１３は、第２の実施形態に係る医用情報表示装置のディスプレイに表示されるキャプチャ画面を表す図である。
【図１４】図１４は、他の実施形態に係る医用情報表示装置のディスプレイに表示される診療画面、及びメモ入力ウィンドウを表す図である。
【発明を実施するための形態】
【００１２】
以下、実施の形態について、図面を参照して説明する。
【００１３】
［第１の実施形態］
図１は、第１の実施形態に係る医用情報表示装置１が利用される環境の例を表すブロック図である。図１に示される医用情報表示装置１は、例えば、医療情報を統合的に観察することが可能な装置である。医用情報表示装置１には、例えば統合ビューアが実装されている。統合ビューアは医療情報を統合的にユーザに提示するアプリケーションである。統合ビューアは、Ｗｅｂアプリケーション、ファットクライアントアプリケーション、又は、シンクライアントアプリケーション等、いずれの実装形態を採用しても良い。医用情報表示装置１は、病院情報システム（ＨＩＳ：Hospital Information Systems）２、放射線部門情報管理システム（ＲＩＳ：Radiology Information Systems）３、医用画像診断装置４、医用画像管理システム（ＰＡＣＳ：Picture Archiving and Communication Systems）５、及びデータウェアハウス（ＤＷＨ：Data WareHouse）６と、例えばＬＡＮ（Local Area Network）等の病院内ネットワークを介して互いに通信可能に接続されている。
【００１４】
図１において、ＨＩＳ２は、例えば、予約情報及びオーダ情報等を管理するオーダシステムを含む。予約情報は、例えば、診察予約、及び検査予約等に関する情報を含む。診察予約に関する情報は、例えば、診察日、診察時刻、受付番号、依頼医師、及び依頼科等を含む。検査予約に関する情報は、例えば、検査日、検査時刻、及び受付番号等を含む。オーダ情報は、例えば、診療医等が依頼するオーダについての情報であり、例えば、画像検査、検体検査、生理検査、処方箋、及び投薬等についてのオーダ情報がある。オーダ情報が画像検査を依頼する検査オーダ情報である場合、検査オーダ情報には、例えば検査を識別可能なオーダ番号、患者ＩＤ、検査種別、検査部位、及び依頼元情報等が含まれる。オーダ番号は、検査オーダ情報が入力される際に発行される番号であり、例えば１つの病院内で検査オーダ情報を一意に特定するための識別子である。検査種別には、Ｘ線検査、ＣＴ（Computed Tomography）検査、ＭＲ（Magnetic Resonance）検査、及びＲＩ（Radio Isotope）検査等が含まれる。検査部位には、例えば腹部、脳、及び胸部等が含まれる。依頼元情報には、診療科名、及び担当医名等が含まれる。検査予約に関する情報は、オーダ情報と連携している。
【００１５】
また、ＨＩＳ２は、例えば、電子カルテに関する情報を管理する電子カルテシステムを含む。電子カルテに関する情報には、例えば、患者情報及び診療情報が含まれる。患者情報は、患者固有の情報であり、例えば、患者ＩＤ、患者氏名、性別、及び年齢等を含む。
【００１６】
診療情報は、診療の過程で、患者の身体状況、病状、及び治療等について、医療従事者が知り得た情報である。診療情報は、例えば、画像情報、検歴情報、心電図情報、バイタルサイン情報、薬歴情報、レポート情報、及びカルテ記載情報等を含む。画像情報は、例えば、患者を撮影等することにより取得された医用画像の所在を表す情報である。画像情報には、例えば、検査が実施された結果医用画像診断装置４により生成される後述の医用画像ファイルの所在を表す情報が含まれる。検歴情報は、例えば、患者に対して検体検査、及び細菌検査等が行われた結果取得される検査結果の履歴を表す情報である。心電図情報は、例えば、患者から計測された心電図波形に関する情報である。バイタルサイン情報は、例えば、患者の生命に関わる基本的な情報である。バイタルサイン情報には、例えば、脈拍数、呼吸数、体温、血圧、及び意識レベル等が含まれる。薬歴情報は、例えば、患者に投与された薬剤の量の履歴を示す情報である。レポート情報は、例えば、診療科の診療医からの検査依頼に対して、放射線科の読影医がＩＤＣＴ画像、ＭＲＩ画像、及び超音波画像等の医用画像を読影し、患者の状態及び疾患についてまとめた情報である。レポート情報には、例えば、読影医がＰＡＣＳ５に記憶された医用画像ファイルを参照して作成された読影レポートを表す読影レポート情報が含まれる。カルテ記載情報は、例えば、診療医等により電子カルテに入力された情報である。カルテ記載情報には、例えば、患者の病歴、及び薬の処方履歴等が含まれる。
【００１７】
また、電子カルテに関する情報には、例えば、検査実施情報が含まれる。検査実施情報は、検査オーダ情報に従い検査を実施した医用画像診断装置４により生成される。検査実施情報は、医用画像診断装置４において実施された検査を表す情報である。検査実施情報には、オーダ番号、検査ＵＩＤ（Unique ＩＤ）、患者ＩＤ、モダリティ種別、撮影部位、及び撮影条件等が含まれる。検査ＵＩＤは、検査を一意に特定可能な識別子である。モダリティ種別は、撮影に用いたモダリティを表す。モダリティ種別には、例えば、「Ｘ線コンピュータ断層撮影装置」、「磁気共鳴イメージング装置」、及び「超音波診断装置」等が含まれる。撮影部位は、検査オーダ情報に含まれる検査部位に対応する。撮影部位には、例えば、腹部、脳、及び胸部等が含まれる。撮影条件には、体位、撮影方向、及び造影剤の使用の有無等が含まれる。
【００１８】
ＲＩＳ３は、放射線検査業務に係る検査予約情報を管理するシステムである。ＲＩＳ３は、例えばＨＩＳ２に含まれるオーダシステムにおいて診療医から入力される検査オーダ情報に各種設定情報を付加して集積し、集積した情報を検査予約情報として管理する。なお、ＲＩＳ３は、過去の検査の際に医用画像診断装置４において設定された各種設定情報を記録した照射録を用いて、検査オーダ情報に対して各種設定情報を付加してもよい。ＲＩＳ３は、検査予約情報に従い検査オーダを医用画像診断装置４へ送信する。また、ＲＩＳ３は、検査が実施された結果医用画像診断装置４により生成される検査実施情報を、ＨＩＳ２に含まれる電子カルテシステムに送信する。
【００１９】
医用画像診断装置４は、患者を撮影等することにより検査を実施する装置である。医用画像診断装置４は、例えばＸ線コンピュータ断層撮影装置、Ｘ線診断装置、磁気共鳴イメージング装置、核医学診断装置、及び超音波診断装置等を含む。医用画像診断装置４は、例えばＲＩＳ３から送信される検査予約情報に基づいて検査を実施する。医用画像診断装置４は、検査実施情報を生成し、ＲＩＳ３に送信する。
【００２０】
また、医用画像診断装置４は、検査の実施により医用画像データを生成する。医用画像データは、例えばＸ線ＣＴ画像データ、Ｘ線画像データ、ＭＲＩ画像データ、核医学画像データ、及び超音波画像データ等である。医用画像診断装置４は、生成した医用画像データを例えばＤＩＣＯＭ（Digital Imaging and Communication in Medicine）規格に準拠した形式に変換することにより、医用画像ファイルを生成する。医用画像ファイルは、例えば、ＤＩＣＯＭ規格に準拠した形式のファイルである。医用画像診断装置４は、生成した医用画像ファイルをＰＡＣＳ５に送信する。
【００２１】
ＰＡＣＳ５は、種々の医用画像ファイルを管理するシステムである。ＰＡＣＳ５は、例えば、医用画像診断装置４から送信された医用画像ファイルを記憶する。
【００２２】
ＤＷＨ６は、例えば、医療・介護等関係機関で発生した情報、いわゆる診療ビッグデータを一括して蓄積するデータベースシステムである。ＤＷＨ６は、例えば、一般的なサーバ装置により実現される。ＤＷＨ６は、例えば、図１で示されるように、処理回路６１、メモリ６２、及び通信インターフェース６３を有する。処理回路６１、メモリ６２、及び通信インターフェース６３は、例えば、バスを介して互いに通信可能に接続されている。
【００２３】
処理回路６１は、ＤＷＨ６の中枢として機能するプロセッサである。処理回路６１は、メモリ６２等に記憶されているプログラムを実行することにより、当該プログラムに対応する、例えば、収集機能６１１、及び登録機能６１２を実現する。
【００２４】
収集機能６１１は、ＨＩＳ２、ＲＩＳ３、医用画像診断装置４、及びＰＡＣＳ５から、所望の情報を収集する機能である。具体的には、収集機能６１１において処理回路６１は、例えば、予め設定された情報を、予め設定された周期で、ＨＩＳ２、ＲＩＳ３、医用画像診断装置４、及びＰＡＣＳ５から収集する。なお、処理回路６１は、予め記憶されている機械学習モデルを利用し、ＨＩＳ２、ＲＩＳ３、医用画像診断装置４、及びＰＡＣＳ５から所望の情報を収集するようにしてもよい。これにより、例えば、ＨＩＳ２から電子カルテに関する情報等が収集され、ＲＩＳ３から検査予約情報等が収集され、医用画像診断装置４、又は医用画像管理システム５から医用画像ファイルが収集される。
【００２５】
なお、処理回路６１は、ＨＩＳ２、ＲＩＳ３、医用画像診断装置４、及びＰＡＣＳ５から種々の情報を収集した後、収集した情報から所望の情報を抽出するようにしてもよい。
【００２６】
登録機能６１２は、取得した情報をメモリ６２に記憶させる機能である。具体的には、登録機能６１２において処理回路６１は、例えば、予め設定された規則に則り、ＨＩＳ２から収集した診療情報をメモリ６２に記憶させる。予め設定された規則とは、例えば、患者毎の画像検査、検体検査、細菌検査、心電図計測、バイタルサイン計測、薬剤投与、レポート作成、及びカルテ記載等の診療イベントに関するイベント日時等を利用した順序等である。イベント日時は、例えば、診療イベントが発生した日時、又は、診療イベントが予定された日時等である。イベント日時には、例えば、画像検査の実施日時、検体検査等の実施日時、心電図波形の計測日時、バイタルサインの計測日時、薬剤の投与日時、レポートの作成日時、カルテの記載日時等が含まれる。これにより、収集された診療情報は、例えば、イベント日時順に、診療情報６２１としてメモリ６２に記憶される。
【００２７】
また、登録機能６１２において処理回路６１は、医用情報表示装置１から送信された診療に関するメモをメモ情報６２２としてメモリ６２に記憶させる。メモとは、例えば、覚え書、又は備忘録等を表す。メモ情報６２２に含まれる各レコードにおいては、医用情報表示装置１に入力された診療に関するメモの内容、メモ入力者、メモ入力日時、メモ入力時に指定されていた指定日時、及び当該メモが入力される際に表示されていた診療画面に関する情報がそれぞれ関連付けられている。指定日時は、例えば、メモ入力日時より過去の日時を示す。指定日時は、メモ入力日時より未来の日時であってもよい。指定日時は、例えば、イベント日時を含む。また、指定日時は、例えば、後述するタイムラインを表す領域において指定された任意の日時を含んでもよい。
【００２８】
診療画面は、例えば、診療医等のユーザが特定患者の診療情報を統合的に観察し、当該患者の診断及び治療等を行うために表示される画面である。診療画面は、例えば、タイムラインを表す領域、及び診療情報を表す領域を含む。
【００２９】
タイムラインを表す領域は、例えば、特定の患者について診療イベントがイベント日時順に時系列に沿って表示される領域である。タイムラインを表す領域には、例えば、医用情報表示装置１において診療に関するメモが入力される際に、ユーザにより指定された日時を示す指示子が含まれる。
【００３０】
診療情報を表す領域には、例えば、画像情報を表す領域、検歴情報を表す領域、バイタルサイン情報を表す領域、薬歴情報を表す領域、レポート情報を表す領域、及びカルテ記載情報を表す領域等の個別の診療情報を表す領域が複数含まれる。
【００３１】
メモリ６２は、種々の情報を記憶するＨＤＤ（hard disk drive）、ＳＳＤ（solid state drive）、及び集積回路記憶装置等の記憶装置である。また、メモリ６２は、ＣＤ−ＲＯＭドライブ、ＤＶＤドライブ、及びフラッシュメモリ等の可搬性記憶媒体との間で種々の情報を読み書きする駆動装置等であっても良い。メモリ６２は、例えば、収集機能６１１、及び登録機能６１２を実現するための制御プログラム等を記憶している。なお、当該プログラムは、例えば、非一過性の記憶媒体に記憶されて配布され、非一過性の記憶媒体から読み出されてメモリ６２にインストールされてもよい。
【００３２】
メモリ６２は、例えば、診療情報６２１、及びメモ情報６２２を記憶している。
【００３３】
通信インターフェース６３は、病院内ネットワークを介して接続された医用情報表示装置１、ＨＩＳ２、ＲＩＳ３、医用画像診断装置４、及びＰＡＣＳ５との間でデータ通信を行う。医用情報表示装置１、ＨＩＳ２、ＲＩＳ３、医用画像診断装置４、及びＰＡＣＳ５との通信の規格は、如何なる規格であっても良いが、例えば、ＨＬ７（Hearth Level 7）、ＤＩＣＯＭ、又はその両方等が挙げられる。
【００３４】
次に、本実施形態に係る医用情報表示装置１の詳細について図２を参照しながら説明する。図２は、図１に示される医用情報表示装置１の機能構成を示すブロック図である。
【００３５】
図２に示される医用情報表示装置１は、処理回路１１、入力インターフェース１２、ディスプレイ１３、メモリ１４、及び通信インターフェース１５を有する。処理回路１１、入力インターフェース１２、ディスプレイ１３、メモリ１４、及び通信インターフェース１５は、例えば、バスを介して互いに通信可能に接続されている。
【００３６】
処理回路１１は、医用情報表示装置１の中枢として機能するプロセッサである。医用情報表示装置１は、例えばメモリ１４等に記憶されている制御プログラムを実行することにより、当該プログラムに対応する機能を実現する。
【００３７】
入力インターフェース１２は、例えば、マウス、キーボード、及び、操作面へ触れることで指示が入力されるタッチパネル等により実現される。入力インターフェース１２は、例えば、操作者からの表示指示を受け付ける。入力インターフェース１２は、操作者からの表示指示を電気信号へ変換し、電気信号を処理回路へ出力する。
【００３８】
ディスプレイ１３は、ユーザが各種業務を遂行するため種々の情報を表示する。ディスプレイとして１３は、例えば、ＣＲＴディスプレイ、液晶ディスプレイ、有機ＥＬディスプレイ、ＬＥＤディスプレイ、プラズマディスプレイ、及び当技術分野で知られている他の任意のディスプレイが適宜利用可能である。
【００３９】
メモリ１４は、種々の情報を記憶するＨＤＤ（Hard disk drive）、ＳＳＤ（Solid state drive）、及び集積回路記憶装置等の記憶装置である。また、メモリ１４は、ＣＤ−ＲＯＭドライブ、ＤＶＤドライブ、及びフラッシュメモリ等の可搬性記憶媒体との間で種々の情報を読み書きする駆動装置等であっても良い。
【００４０】
メモリ１４は、ディスプレイ１３に表示されている診療画面に含まれる診療情報の配置を表す第１レイアウト情報を記憶している。第１レイアウト情報は、例えば、患者毎に記憶されている。第１レイアウト情報は、例えば、ユーザの診療目的に合わせた診療情報の配置に関する情報が含まれている。第１レイアウト情報には、例えば、診療画面に含まれる診療情報の配置を特定するレイアウト保存名が含まれている。レイアウト保存名は、例えば、診療画面における診療情報の配置の目的を表す。レイアウト保存名は、例えば、第１レイアウト情報がメモリ１４に記憶される際に、入力インターフェース１２を介して、ユーザにより任意に設定される。
【００４１】
第１レイアウト情報には、例えば、診療画面に含まれる診療情報毎に、診療情報の種別を表す診療データ種別、診療情報を表示する基準位置、及び診療情報を表示する表示サイズが含まれる。基準位置は、例えば、診療画面において表示される診療情報の診療画面に対する相対的な位置を表す。表示サイズは、例えば、診療情報が１つのパネルとして表示される場合の、当該パネルのサイズを表す。
【００４２】
通信インターフェース１５は、病院内ネットワークを介して接続されたＨＩＳ２、ＲＩＳ３、医用画像診断装置４、ＰＡＣＳ５、及びＤＷＨ６との間でデータ通信を行う。ＨＩＳ２、ＲＩＳ３、医用画像診断装置４、ＰＡＣＳ５、及びＤＷＨ６との通信の規格は、如何なる規格であっても良いが、例えば、ＨＬ７、ＤＩＣＯＭ、又はその両方等が挙げられる。
【００４３】
第１の実施形態に係る処理回路１１は、取得機能１１１、関連付け機能１１３、表示制御機能１１５、及びシステム制御機能１１７を有する。
【００４４】
取得機能１１１は、表示している診療画面に関する種々の情報を取得する機能である。取得機能１１１の実行により処理回路１１は、例えば、ディスプレイ１３に表示されている診療画面に対応する第１レイアウト情報を、メモリ１４から取得する。また、処理回路１１は、診療画面を表示する際に生成されるメタ情報を参照し、診療画面の復元に必要な項目の値を取得する。診療画面の復元に必要な項目は、例えば、特定の診療情報について取得されるデータの内容を表すデータ項目、並びに、当該データ項目について取得された医用画像データ、又は計測値等を表示する表示期間等である。
【００４５】
また、処理回路１１は、入力インターフェース１２を介してユーザから入力される各種指示に応じて、通信インターフェース１５を介し、ＤＷＨ６のメモリ６２に記憶されたメモ情報６２２を取得する。
【００４６】
関連付け機能１１３は、診療に関するメモが入力される際に、当該メモの内容に対して、診療画面に関する情報を関連付ける機能である。第１の実施形態に係る診療画面に関する情報は、例えば、第１レイアウト情報、及び取得機能１１１により取得されたメタ情報を含む。関連付け機能１１３の実行により処理回路１１は、例えば、入力されたメモの内容に対して、メモ入力時に表示されていた診療画面に関する情報を第２レイアウト情報として関連付ける。第２レイアウト情報は、例えば、診療画面に含まれる診療情報の配置、及び表示期間を表す。このとき、処理回路１１は、入力されたメモの内容に対して、メモ入力者、メモ入力日時、及びメモ入力時に指定されていたイベント日時も関連付ける。そして、処理回路１１は、例えば、通信インターフェース１５を介し、ＤＷＨ６の処理回路６１に対し、関連付けられたメモの内容、メモ入力者、メモ入力日時、メモ入力時に診療画面において指定されていた指定日時、及び第２レイアウト情報を、メモ情報６２２としてメモリ６２に記憶するよう指示する。これにより、ＤＷＨ６の処理回路６１は、登録機能６１２を実行し、関連付けられたメモの内容、メモ入力者、メモ入力日時、メモ入力時に指定されていた指定日時、及び第２レイアウト情報を、メモ情報６２２としてメモリ６２に記憶する。また、第２レイアウト情報は、特許請求の範囲に記載のレイアウト情報の一例である。
【００４７】
表示制御機能１１５は、メモの内容と、メモ入力時に表示されていた診療画面とを共に表示する機能である。表示制御機能１１５の実行により処理回路１１は、まず、入力インターフェース１２を介して入力された特定の患者についての診療情報を表示する表示指示に従い、診療情報を含む診療画面を表示する。そして、処理回路１１は、例えば、入力インターフェース１２を介して入力された特定のメモを表示する表示指示に従い、指定されたメモの内容に関連付けられた第２レイアウト情報、及び第２レイアウト情報に対応する診療情報に基づいて、メモ入力時に表示されていた診療画面を表す診療画面データを生成する。これにより、メモ入力時に表示されていた診療画面が復元される。処理回路１１は、復元した診療画面を、メモの内容、メモ入力者、メモ入力日時、及びメモ入力時に復元した診療画面において指定されていた指定日時と共に表示する。
【００４８】
システム制御機能１１７は、医用情報表示装置１の入出力、及び通信等の基本動作を制御する機能である。システム制御機能１１７が実行されると、処理回路１１は、入力インターフェース１２を介して各種要求を受け付ける。処理回路１１は、受け付けた各種要求に応じて、各種機能を実行する。処理回路１１は、例えば、入力インターフェース１２を介して、ディスプレイ１３に表示されている診療画面に関する第１レイアウト情報の保存指示を受け付ける。処理回路１１は、保存指示を受け付けると、例えば、第１レイアウト情報をメモリ１４に記憶する。また、処理回路１１は、例えば、入力インターフェース１２を介して、ディスプレイ１３に表示されている診療画面において指定日時の指定を受け付ける。処理回路１１は、例えば、入力インターフェース１２を介して、診療に関するメモの入力を受け付ける。
【００４９】
取得機能１１１、関連付け機能１１３、表示制御機能１１５、及びシステム制御機能１１７は、制御プログラムとして組み込まれていてもよいし、処理回路１１自体に各機能を実行可能な専用のハードウェア回路が組み込まれていてもよい。
【００５０】
次に、第１の実施形態に係る医用情報表示装置１の各種動作について、図を参照して説明する。
【００５１】
まず、第１の実施形態に係る医用情報表示装置１が、診療に関するメモを保存する動作について説明する。図３は、第１の実施形態に係る医用情報表示装置１が、診療に関するメモを保存する際の処理回路１１の動作の例を表すフローチャートである。以下の説明では、処理回路１１は、通信インターフェース１５を介し、データウェアハウス６のメモリ６２に記憶されている特定の同一患者についての診療情報６２１を読み出し、ユーザから表示指示された診療情報をディスプレイ１３に表示するものとする。また、処理回路１１は、ユーザから表示指示された医用画像を表す医用画像データを含む医用画像ファイルを、例えば、ＰＡＣＳ５から読み出してディスプレイ１３に表示するものとする。このとき、処理回路１１は、例えば、当該表示指示の入力を行ったユーザにより指定された画像情報が表す医用画像ファイルの所在を表す情報に基づいて、当該医用画像ファイルをＰＡＣＳ５から読み出す。なお、処理回路１１は、ユーザから表示指示された診療情報を、ＨＩＳ２から読み出すことによりディスプレイ１３に表示してもよい。
【００５２】
また、処理回路１１は、ディスプレイ１３に診療情報を表示する際に、例えば、予め設定された設定内容、又は、ユーザにより指定された設定内容に基づき、表示する診療画面に対応するメタ情報を生成するものとする。処理回路１１は、生成したメタ情報を、処理回路１１が備える不図示の内部メモリに記憶しているものとする。
【００５３】
また、処理回路１１は、メモが入力される前に、予めユーザの表示指示に従い、診療情報を含む診療画面をディスプレイ１３に表示しているものとする。このとき、ユーザは、例えば、入力インターフェース１２を介して、診療目的に応じた第１レイアウト情報を選択しているものとする。そして、処理回路１１は、ユーザの選択に応じて、メモリ１４から第１レイアウト情報を予め取得しているものとする。
【００５４】
処理回路１１は、入力インターフェース１２を介して、メモの保存指示を受け付ける（ステップＳＡ１）。図４は、第１の実施形態に係る医用情報表示装置１のディスプレイ１３に表示される診療画面ＩＳ１、及びメモ入力ウィンドウＷ１の例を表す図である。図４に示される診療画面ＩＳ１は、タイムラインを表す領域Ｒ１、及び診療情報を表す領域Ｒ２を含む。
【００５５】
図４に示されるタイムラインを表す領域Ｒ１では、例えば、特定の患者について、「イベント」、「検体検査」、「心電図」、及び「画像検査」をそれぞれ表すアイコンが、イベント日時順に時系列に沿って表示されている。「イベント」は、例えば、「検体検査」、「心電図」、及び「画像検査」等以外の診療イベントを表す。「イベント」は、例えば、「入院」、及び「退院」等の診療イベントを含む。「イベント」のイベント日時は、例えば、入院日時、及び退院日時等である。なお、「イベント」は、例えば、特定の患者について、検体検査等で異常値が検出された場合に、異常を知らせるアイコン等の表示によりユーザに通知する目的で設けられた診療イベントであってもよい。
【００５６】
また、図４に示されるタイムラインを表す領域Ｒ１には、ユーザにより指定された指定日時を示す指示子Ｌ１が含まれる。図４に示される指示子Ｌ１は、点線の態様で表示されている。このとき、指示子Ｌ１が示す指定日時は、２０１６年５月２日１７時である。また、指示子Ｌ１が示す日時は、アイコンＩ１が示す検体検査のイベント日時と一致する。なお、指示子Ｌ１が示す位置は、イベントを表すアイコンが表示される位置と必ずしも一致している必要はない。すなわち、指示子Ｌ１が示す日時は、イベント日時と必ずしも一致している必要はない。例えば、指示子Ｌ１は、タイムラインを表す領域Ｒ１内において、任意の日時を表す位置に表示されていてもよい。
【００５７】
図４に示される診療情報を表す領域Ｒ２は、薬歴情報を表す領域Ｒ２１、バイタルサイン情報を表す領域Ｒ２２、検歴情報を表す領域Ｒ２３を含む。
【００５８】
図４に示される薬歴情報を表す領域Ｒ２１では、特定の患者に対する薬剤の点滴量の実績が、「2016/4/29〜2016/5/2」の表示期間において、時系列に沿って表示されている。具体的には、薬歴情報を表す領域Ｒ２１では、２０１６年４月２９日（金）に２４０ｍｌ、２０１６年４月３０日（土）に６２０ｍｌ、２０１６年５月１日（日）に４３０ｍｌの薬剤が特定の患者に投与された実績が表示されている。
【００５９】
図４に示されるバイタルサイン情報を表す領域Ｒ２２では、特定の患者から取得されたバイタルサイン情報が、「2016/5/4〜2016/5/7」の表示期間において、時系列に沿って表示されている。具体的には、バイタルサイン情報を表す領域Ｒ２２では、「2016/5/4〜2016/5/7」の表示期間において、特定の患者から取得された脈拍数（ＢＰＭ：Beats Per Minutes）が時系列に沿って表示されている。
【００６０】
図４に示される検歴情報を表す領域Ｒ２３では、特定の患者について実施された検体検査の結果が、「2016/4/26〜2016/5/3」の表示期間において、時系列に沿って表示されている。具体的には、検歴情報を表す領域Ｒ２３では、「2016/4/26〜2016/5/3」の表示期間において、ＡＬＢ（アルブミン）の濃度（ｇ／ｄｌ）が時系列に沿って表示されている。このとき、検歴情報を表す領域Ｒ２３には、タイムラインを表す領域Ｒ１に含まれる指示子Ｌ１に対応する指示子Ｌ２が表示されている。図４に示される指示子Ｌ１、及び指示子Ｌ２は同じ日時を示している。
【００６１】
また、図４では、診療画面ＩＳ１に重畳される態様で、メモ入力ウィンドウＷ１がポップアップ表示されている。なお、メモ入力ウィンドウＷ１は、診療画面ＩＳ１に含まれる態様で表示されていてもよい。メモ入力ウィンドウＷ１は、ユーザが診療に関するメモを入力するためのウィンドウである。メモ入力ウィンドウＷ１は、メモ入力フィールドＦ１、保存ボタンＢ１、及びキャンセルボタンＢ２を含む。
【００６２】
メモ入力フィールドＦ１は、診療に関するメモの内容が入力されるフィールドである。ユーザは、例えば、診療画面ＩＳ１に表される特定の患者に関する複数の診療情報を参照し、入力インターフェース１２を介して、メモ入力フィールドＦ１に診療に関するメモの内容を入力する。具体的には、図４に示されるメモ入力フィールドＦ１には、「検査計測値の急激な増減あり」が入力されている。このとき、メモの内容「検査計測値の急激な増減あり」のメモ入力者はユーザ「user_2」であり、メモ入力日時は「2016-05-02 21:00」であるものとする。また、メモ入力者「user_2」は、担当する特定の患者について、ＢＢ症例の診療中に検体検査の計測値の急激な増減があることを確認し、当該患者に薬剤を投与したものとする。このとき、メモ入力者「user_2」は、図４に示される診療画面ＩＳ１を参照し、薬剤を投与した理由として、メモの内容「検査計測値の急激な増減あり」を入力したものとする。
【００６３】
保存ボタンＢ１は、メモ入力フィールドＦ１に入力されたメモの内容を確定し、保存するためのボタンである。キャンセルボタンＢ２は、メモ入力フィールドＦ１に入力されたメモの内容をキャンセルするためのボタンである。
【００６４】
処理回路１１は、図４に示される保存ボタンＢ１が指定されると、取得機能１１１を実行し、予め取得した第１レイアウト情報を読み出す。また、処理回路１１は、ディスプレイ１３に表示している診療画面ＩＳ１に対応するメタ情報を、例えば、処理回路１１が備える不図示の内部メモリから取得する（ステップＳＡ２）。このとき、取得された第１レイアウト情報には、例えば、診療画面ＩＳ１に含まれる診療情報の配置の目的を表すレイアウト保存名「ＢＢ症例診断用」が含まれている。また、第１レイアウト情報には、薬歴情報を表す領域Ｒ２１について、少なくとも診療データ種別「薬剤」、基準位置「（０、２０）」、及びサイズ（横、縦）「（６０、６０）」が含まれている。また、第１レイアウト情報には、バイタルサイン情報を表す領域Ｒ２２について、少なくとも診療データ種別「バイタルサイン」、基準位置「（６０、２０）」、及びサイズ（横、縦）「（６０、３０）」が含まれている。また、第１レイアウト情報には、検歴情報を表す領域Ｒ２３について、少なくとも診療データ種別「検体検査」、基準位置「（６０、５０）」、及びサイズ（横、縦）「（６０、３０）」が含まれている。
【００６５】
また、メタ情報には、ステップＳＡ１においてメモが入力される際に表示されていた診療画面に関する情報が含まれている。具体的には、メタ情報には、薬歴情報を表す領域Ｒ２１について、少なくともデータ項目「点滴」、及び表示期間「2016/4/29〜2016/5/2」が含まれている。また、メタ情報には、バイタルサイン情報を表す領域Ｒ２２について、少なくともデータ項目「脈拍」、及び表示期間「2016/5/4〜2016/5/7」が含まれている。また、メタ情報には、検歴情報を表す領域Ｒ２３について、少なくともデータ項目「ＡＬＢ」、及び表示期間「2016/4/26〜2016/5/3」が含まれている。なお、表示期間には、日付情報だけでなく、時間情報が含まれていてもよい。このとき、表示期間は、例えば、「2016/5/4 09:00〜2016/5/7 21:00」のように表される。
【００６６】
処理回路１１は、第１レイアウト情報、及びメタ情報を取得すると、関連付け機能１１３を実行し、ステップＳＡ１において保存指示されたメモに対して、取得した第１レイアウト情報、及びメタ情報を、第２レイアウト情報として関連付ける（ステップＳＡ３）。このとき、処理回路１１は、入力されたメモの内容に対して、メモ入力者、メモ入力日時、及びメモ入力時に図４に示される診療画面ＩＳ１において指定されていた指定日時も関連付ける。具体的には、処理回路１１は、入力されたメモの内容「検査計測値の急激な増減あり」に対して、メモ入力者「user_2」、メモ入力日時「2016-05-02 21:00」、及びメモ入力時に図４に示される診療画面ＩＳ１において指定されていた指定日時「2016-05-02 17:00」を関連付ける。
【００６７】
処理回路１１は、例えば、通信インターフェース１５を介し、ＤＷＨ６の処理回路６１に対し、関連付けられたメモの内容、メモ入力者、メモ入力日時、指定日時、及び第２レイアウト情報を、メモ情報６２２の１レコードとしてメモリ６２に記憶するよう指示する（ステップＳＡ４）。これにより、ＤＷＨ６の処理回路６１は、登録機能６１２を実行し、関連付けられたメモの内容、メモ入力者、メモ入力日時、指定日時、及び第２レイアウト情報を、メモ情報６２２の１レコードとしてメモリ６２に記憶する。図５は、図１に示されるＤＷＨ６のメモリ６２に記憶される第２レイアウト情報の例を示す図である。図５によれば、第２レイアウト情報に含まれる各レコードは、項目として、レイアウト保存名、診療データ種別、基準位置、サイズ（横、縦）、データ項目、及び表示期間等を有する。具体的には、図５に示される第２レイアウト情報は、レイアウト保存名「ＢＢ症例診断用」、診療データ種別「薬剤」、基準位置「（０、２０）」、サイズ（横、縦）「（６０、６０）」、データ項目「点滴」、及び表示期間「2016/4/29〜2016/5/2」であるレコードを含む。また、図５に示される第２レイアウト情報は、レイアウト保存名「ＢＢ症例診断用」、診療データ種別「バイタルサイン」、基準位置「（６０、２０）」、サイズ（横、縦）「（６０、３０）」、データ項目「脈拍」、及び表示期間「2016/5/4〜2016/5/7」であるレコードを含む。また、図５に示される第２レイアウト情報は、レイアウト保存名「ＢＢ症例診断用」、診療データ種別「検体検査」、基準位置「（６０、５０）」、サイズ（横、縦）「（６０、３０）」、データ項目「ＡＬＢ」、及び表示期間「2016/4/26〜2016/5/3」であるレコードを含む。
【００６８】
なお、処理回路１１は、関連付けられたメモの内容、メモ入力者、メモ入力日時、指定日時、及び第２レイアウト情報を、例えば、メモリ１４に記憶してもよい。
【００６９】
次に、第１の実施形態に係る医用情報表示装置１が、診療に関するメモを表示する動作について説明する。図６は、第１の実施形態に係る医用情報表示装置１が、診療に関するメモを表示する際の処理回路１１の動作の例を表すフローチャートである。以下の説明では、処理回路１１は、例えば、入力インターフェース１２を介したユーザの指示に従い、ＤＷＨ６のメモリ６２から、メモ情報６２２に含まれる必要なレコードを予め取得しているものとする。また、診療に関するメモを参照するユーザは、「user_3」であるものとする。
【００７０】
処理回路１１は、例えば、入力インターフェース１２を介して、特定の患者について、メモ一覧の表示指示を受け付ける（ステップＳＢ１）。
【００７１】
処理回路１１は、特定の患者について、メモ一覧の表示指示を受け付けると、ＤＷＨ６のメモリ６２から予め取得したレコードを参照し、指定された患者に関するメモ一覧を表示する（ステップＳＢ２）。図７は、第１の実施形態に係る医用情報表示装置１のディスプレイ１３に表示されるメモ一覧の例を表す図である。図７に示される診療画面ＩＳ１は、タイムラインを表す領域Ｒ１、及び診療情報を表す領域Ｒ２を含む。
【００７２】
図７に示される診療情報を表す領域Ｒ２は、メモ一覧を表す領域Ｒ２４、及び薬歴情報を表す領域Ｒ２５を含む。
【００７３】
図７に示されるメモ一覧を表す領域Ｒ２４には、ステップＳＢ１で指定された特定の患者について、登録された診療に関するメモが、指定日時の順に、時系列に沿って一覧表示されている。具体的には、メモの内容「体温の上昇あり、注意必要」に対して、関連付けられた指定日時「2016-04-27 00:23」、メモ入力者「user_1」、メモ入力日時「2016-04-27 19:00」、及びレイアウト保存名「ＡＡ症例診療用」が表示されている。なお、図７に示される「日時」は指定日時、「入力者」はメモ入力者、「入力日時」はメモ入力日時、「レイアウト」はレイアウト保存名にそれぞれ対応している。また、メモの内容「検査測定値の急激な増減あり」に対して、関連付けられた指定日時「2016-05-02 17:00」、メモ入力者「user_2」、メモ入力日時「2016-05-02 21:00」、及びレイアウト保存名「ＢＢ症例診療用」が表示されている。このように、メモの内容に対応するレイアウト保存名が表示されることにより、図７に示されるメモ一覧を参照したユーザは、レイアウト保存名を手がかりとして、記載時の状況や記載理由の推測ができる。また、メモの内容に対応するメモ入力者が表示されることにより、図７に示されるメモ一覧を参照したユーザは、当該ユーザの診療への関連有無の判断を容易にすることが可能となる。
【００７４】
また、図７に示されるメモ一覧を表す領域Ｒ２４は、表示されているメモの内容について、当該メモ入力時にディスプレイ１３に表示されていた診療画面の詳細を確認するために指定可能な領域５１、及び領域５２を含む。領域５１が指定された場合、メモの内容「体温の上昇あり、注意必要」の入力時にディスプレイ１３に表示されていた診療画面の詳細を確認することが可能である。また、領域５２が指定された場合、メモの内容「検査測定値の急激な増減あり」の入力時にディスプレイ１３に表示されていた診療画面の詳細を確認することが可能である。
【００７５】
処理回路１１は、ステップＳＢ２において、指定された患者に関するメモ一覧を表示すると、個別のメモの表示指示を受け付ける（ステップＳＢ３）。
【００７６】
このとき、ユーザは、例えば、入力インターフェース１２を介して、図７に示されるメモ一覧を表す領域Ｒ２４に含まれる領域Ｒ５１、又は、領域Ｒ５２を指定することにより、それぞれのメモについて、メモ入力時にディスプレイ１３に表示されていた診療画面を確認することができる。第１の実施形態では、領域Ｒ５２が指定されるものとする。このとき、例えば、ユーザ「user_3」は、ＢＢ症例と関連する症例の診療中に、図７に示されるメモ一覧に含まれるレイアウト保存名「ＢＢ症例診断用」を認識し、自身の担当する症例の診療の役に立つと考えて、領域Ｒ５２を指定している。
【００７７】
図７に示される薬歴情報を表す領域Ｒ２５には、図４に示される薬剤薬歴情報を表す領域Ｒ２１に表示されている情報と同様の情報が表示されている。
【００７８】
処理回路１１は、図７に示される領域Ｒ５２が指定されると、ＤＷＨ６のメモリ６２から予め取得したレコードを参照し、表示指示されたメモに対応する第２レイアウト情報を読み出す（ステップＳＢ４）。具体的には、処理回路１１は、表示指示されたメモの内容「検査測定値の急激な増減あり」に対応する第２レイアウト情報を、ＤＷＨ６のメモリ６２から予め取得したレコードを参照して読み出す。
【００７９】
処理回路１１は、読み出した第２レイアウト情報に基づいて、復元する診療画面に係る各診療情報の配置、及び表示期間等を決定する（ステップＳＢ５）。具体的には、処理回路１１は、メモの内容「検査測定値の急激な増減あり」に対応するレイアウト保存名「ＢＢ症例診断用」、診療データ種別「薬剤」、基準位置「（０、２０）」、サイズ（横、縦）「（６０、６０）」、データ項目「点滴」、及び表示期間「2016/4/29〜2016/5/2」であるレコードに基づいて、薬歴情報の配置、及び表示期間等を決定する。また、処理回路１１は、メモの内容「検査測定値の急激な増減あり」に対応するレイアウト保存名「ＢＢ症例診断用」、診療データ種別「バイタルサイン」、基準位置「（６０、２０）」、サイズ（横、縦）「（６０、３０）」、データ項目「脈拍」、及び表示期間「2016/5/4〜2016/5/7」であるレコードに基づいて、バイタルサイン情報の配置、及び表示期間等を決定する。また、処理回路１１は、メモの内容「検査測定値の急激な増減あり」に対応するレイアウト保存名「ＢＢ症例診断用」、診療データ種別「検体検査」、基準位置「（６０、５０）」、サイズ（横、縦）「（６０、３０）」、データ項目「ＡＬＢ」、及び表示期間「2016/4/26〜2016/5/3」であるレコードに基づいて、検歴情報の配置、及び表示期間等を決定する。
【００８０】
さらに、処理回路１１は、メモの内容「検査測定値の急激な増減あり」の入力時に図４に示される診療画面ＩＳ１において指定されていた指定日時「2016-05-02 17:00」に基づいて、診療画面に含まれるタイムラインを表す領域に表示する指定日時を設定する（ステップＳＢ６）。
【００８１】
ステップＳＢ５、及びステップＳＢ６の実行により、処理回路１１は、メモ入力時に表示されていた診療画面を復元する。具体的には、処理回路１１は、指定されたメモの内容に関連付けられた第２レイアウト情報、及び第２レイアウト情報に対応する診療情報に基づいて、メモ入力時に表示されていた診療画面を表す診療画面データを生成する。
【００８２】
処理回路１１は、表示指示されたメモを、復元した診療画面と共に表示する（ステップＳＢ７）。図８は、第１の実施形態に係る医用情報表示装置１のディスプレイ１３に表示されるメモウィンドウＷ２、及び復元した診療画面ＩＳ１の例を表す図である。図８では、診療画面ＩＳ１に重畳される態様で、メモウィンドウＷ２がポップアップ表示されている。なお、図８に示されるメモウィンドウＷ２は、診療画面ＩＳ１に含まれる態様で表示されていてもよい。
【００８３】
図８に示されるメモウィンドウＷ２は、ステップＳＢ３において表示指示された診療に関するメモの内容をポップアップ表示したウィンドウである。図８に示されるメモウィンドウＷ２には、ステップＳＢ３において表示指示されたメモの内容「検査測定値の急激な増減あり」、当該メモの内容に対応する指定日時「2016-05-02 17:00」、及びメモ入力者「User_2」が表示されている。
【００８４】
図８に示される診療画面ＩＳ１は、図４に示されるメモ入力時に表示されていた診療画面ＩＳ１を復元したものである。図８に示される診療画面ＩＳ１は、タイムラインを表す領域Ｒ１、及び診療情報を表す領域Ｒ２を含む。図８に示されるタイムラインを表す領域Ｒ１には、図４に示されるタイムラインを表す領域Ｒ１と同様の情報が表示されている。これにより、図８に示される復元された診療画面ＩＳ１を参照したユーザは、例えば、メモ入力時の診療情報の表示期間とメモ入力日時が異なる場合でも、ユーザにより指定された指定日時を示す指示子Ｌ１の位置を知ることができるため、メモの意図を容易に、かつ、正確に理解することが可能となる。
【００８５】
図８に示される診療情報を表す領域Ｒ２には、図４に示される診療情報を表す領域Ｒ２に表示されている診療情報と同じ診療情報、すなわち薬歴情報、バイタルサイン情報、及び検歴情報が、同一の配置、及び表示期間で表示されている。これにより、図８に示される復元された診療画面ＩＳ１を参照したユーザは、例えば、お互いに異なる表示期間が設定された複数の診療情報がメモ入力時に表示されていた場合でも、各診療情報の配置、及び表示期間を知ることができるため、メモの意図を容易に、かつ、正確に理解することが可能となる。
【００８６】
具体的には、例えば、図８に示される診療画面ＩＳ１を参照したユーザ「user_3」は、診療画面ＩＳ１に含まれる検歴情報を表す領域Ｒ２３において、特定の患者について、ＡＬＢの値が２０１６年４月２７日から２０１６年４月２９にかけて減少し、２０１６年４月２９から２０１６年５月３日にかけて増加していることを認識する。また、ユーザ「user_3」は、診療画面ＩＳ１に含まれる薬歴情報を表す領域Ｒ２１において、２０１６年４月２９日から２０１６年５月１日にかけて、ＡＬＢの値の増減のあった特定の患者に対して薬剤が投与されたことを認識する。これにより、ユーザ「user_3」は、例えば、検体検査の結果を受けて薬剤が投与された事実と、メモの内容「検査測定値の急激な増減あり」が薬剤投与の理由として記載されたものであることを理解することができる。このように、ユーザ「user_3」は、メモウィンドウＷ２、及び復元された診療画面ＩＳ１を参照することにより、診療に関するメモが入力された根拠となる診療情報を詳細に把握することができ、メモ入力時のメモ入力者の思考をより追跡することが可能となる。
【００８７】
また、図８に示される復元された診療画面ＩＳ１は、戻るボタンＢ３を有する。戻るボタンＢ３は、復元された診療画面ＩＳ１が表示されている際に、一つ前の表示画面に遷移する旨の画面切替指示を受け付けるために設けられたボタンである。図８に示される戻るボタンＢ３が指定されると、処理回路１１は、例えば、一つ前の表示画面である図７に示される診療画面ＩＳ１を表示する。これにより、ユーザは、容易に他の診療業務に移行することが可能となる。
【００８８】
また、図８に示される復元された診療画面ＩＳ１は、第２レイアウト情報を用いて、各診療情報を配置して復元されたものである。このとき、処理回路１１は、例えば、復元された診療画面ＩＳ１に含まれる特定の診療情報を表す領域に対して処理の操作が行われると、指定された領域に対応する診療情報に関連する各種情報を表示する。具体的には、処理回路１１は、例えば、薬歴情報を表す領域Ｒ２１、バイタルサイン情報を表す領域Ｒ２２、又は検歴情報を表す領域Ｒ２３のうち検歴情報を表す領域Ｒ２３に対して表示期間を変更する操作が行われると、例えば、検歴情報を表す領域Ｒ２３に表示されている表示期間外の検歴情報を、例えばＤＷＨ６のメモリ６２から取得する。そして、処理回路１１は、取得した表示期間外の検歴情報をディスプレイ１３に表示する。
【００８９】
なお、処理回路１１は、図８に示される復元された診療画面ＩＳ１を一時的に表示される画面として表示するようにしてもよい。このとき、処理回路１１は、例えば、図８に示される復元された診療画面ＩＳ１をディスプレイ１３に表示した後、当該診療画面ＩＳ１を正式に表示する診療画面として確定するか否かを表すウィンドウをポップアップ表示する。
【００９０】
第１の実施形態によれば、処理回路１１は、ディスプレイ１３に診療情報を表示する。処理回路１１は、ディスプレイ１３に表示されている診療情報に関するメモの入力を受け付ける。処理回路１１は、入力されたメモに対して、当該メモが入力された入力日時、ユーザにより指定された指定日時、及びメモが入力される際にディスプレイ１３に表示されている診療情報を含む診療画面に関する情報を関連付ける。
【００９１】
これにより、メモを参照するユーザは、入力されたメモと、メモ入力時に表示されていた診療画面との関係を容易に把握することができる。また、メモを入力するユーザは、メモ入力時に、どのユーザが見てもわかるように詳細な情報を記載する必要がない。
【００９２】
したがって、第１の実施形態に係る医用情報表示装置によれば、診療に関するメモの意図を理解するために必要なユーザの負担を軽減することが可能となる。
【００９３】
なお、第１の実施形態に係る医用情報表示装置によれば、若手医師が、ベテラン医師により入力されたメモの内容、及び当該メモの内容に関連付けられた診療画面に関する情報を参照することにより、若手医師の教育にも貢献することが可能である。
【００９４】
また、第１の実施形態によれば、診療画面に関する情報は、診療画面に含まれる診療情報の配置、及び表示期間を表す第２レイアウト情報を含む。そして、処理回路１１は、第２レイアウト情報に基づいて、メモ入力時に表示されていた診療画面を復元し、復元した診療画面をディスプレイ１３に表示する。これにより、ユーザは、例えば、復元された診療画面に含まれる特定の診療情報を表す領域に所定の操作を行うことにより、当該診療情報に関連する種々の情報を確認することが可能となる。
【００９５】
なお、処理回路１１は、例えば図７に示されるタイムラインを表す領域Ｒ１において、メモが入力されたイベントを表すメモアイコンを時系列に沿って表示し、当該メモアイコンにカーソルが合わされたとき、当該アイコンに覆いかぶさるように、レイアウト保存名を表示するようにしてもよい。図９は、第１の実施形態に係る医用情報表示装置１のディスプレイ１３に表示されるレイアウト保存名の例を示す図である。図９によれば、指定日時が「2016-04-27 00:23」として入力されたメモを表すメモアイコンＩ２にカーソルが合せられた際に、メモアイコンＩ２に覆いかぶさる形で、レイアウト保存名「ＡＡ症例診療用」を含む吹き出しＷ３が表示されている。これにより、図９に示される吹き出しＷ３を参照したユーザは、表示されているレイアウト保存名を手がかりとして、記載時の状況や記載理由の推測ができる。
【００９６】
［第２の実施形態］
第１の実施形態では、処理回路１１は、入力されたメモに対して、取得された第１レイアウト情報、及びメタ情報を第２レイアウト情報として関連付けるようにしていた。第２の実施形態では、入力されたメモに対して、メモ入力時に表示されていた診療画面をキャプチャした結果取得されるキャプチャ画面を表すキャプチャ情報が関連付けられる場合について説明する。
【００９７】
第２の実施形態に係る医用情報表示装置が利用される環境の例を表すブロック図は、図１に示されるブロック図と同様である。以下の説明では、図１に示される医用情報表示装置１を、医用情報表示装置１Ａと置き換えて、第２の実施形態に係る医用情報表示装置１Ａについて説明する。
【００９８】
次に、第２の実施形態に係る医用情報表示装置１Ａの詳細について図１０を参照しながら説明する。図１０は、第２の実施形態に係る医用情報表示装置１Ａの機能構成を示すブロック図である。
【００９９】
図１０に示される医用情報表示装置１Ａは、処理回路１１Ａ、入力インターフェース１２、ディスプレイ１３、メモリ１４、及び通信インターフェース１５を有する。処理回路１１Ａ、入力インターフェース１２、ディスプレイ１３、メモリ１４、及び通信インターフェース１５は、例えば、バスを介して互いに通信可能に接続されている。
【０１００】
処理回路１１Ａは、医用情報表示装置１Ａの中枢として機能するプロセッサである。医用情報表示装置１Ａは、例えばメモリ１４等に記憶されている制御プログラムを実行することにより、当該プログラムに対応する機能を実現する。
【０１０１】
第２の実施形態に係る入力インターフェース１２、ディスプレイ１３、メモリ１４、及び通信インターフェース１５の機能及び構成は、第１の実施形態に係る入力インターフェース１２、ディスプレイ１３、メモリ１４、及び通信インターフェース１５の機能及び構成とそれぞれ同様である。
【０１０２】
第２の実施形態に係る処理回路１１Ａは、取得機能１１１、関連付け機能１１３Ａ、表示制御機能１１５Ａ、システム制御機能１１７、及びキャプチャ機能１１９を有する。
【０１０３】
関連付け機能１１３Ａは、診療に関するメモが入力される際に、当該メモの内容に対して、診療画面に関する情報を関連付ける機能である。第２の実施形態に係る診療画面に関する情報は、例えば、第１レイアウト情報に含まれるレイアウト保存名、及びキャプチャ情報を含む。関連付け機能１１３Ａの実行により処理回路１１Ａは、例えば、入力されたメモの内容に対して、メモ入力時に表示されていた診療画面に関する情報を第３レイアウト情報として関連付ける。このとき、処理回路１１Ａは、入力されたメモの内容に対して、メモ入力者、メモ入力日時、及びメモ入力時に指定されていたイベント日時も関連付ける。そして、処理回路１１は、例えば、通信インターフェース１５を介し、ＤＷＨ６の処理回路６１に対し、関連付けられたメモの内容、メモ入力者、メモ入力日時、指定日時、及び第２レイアウト情報を、メモ情報６２２としてメモリ６２に記憶するよう指示する。これにより、ＤＷＨ６の処理回路６１は、登録機能６１２を実行し、関連付けられたメモの内容、メモ入力者、メモ入力日時、指定日時、及び第２レイアウト情報を、メモ情報６２２としてメモリ６２に記憶する。
【０１０４】
表示制御機能１１５Ａは、メモの内容と、メモ入力時に表示されていた診療画面とを共に表示する機能である。表示制御機能１１５の実行により処理回路１１は、例えば、入力インターフェース１２を介してユーザにより入力された特定のメモに関する表示指示に従い、指定されたメモの内容に関連付けられた第３レイアウト情報からキャプチャ情報を読み出す。処理回路１１は、キャプチャ情報に基づくキャプチャ画面を、メモの内容、メモの内容に関連付けられたメモ入力者、メモ入力日時、及び指定日時と共に表示する。
【０１０５】
キャプチャ機能１１９は、診療画面をキャプチャする機能である。キャプチャ機能１１９の実行により処理回路１１は、メモ入力時にディスプレイ１３に表示されている診療画面をキャプチャし、キャプチャ画面を表すキャプチャ情報を取得する。
【０１０６】
取得機能１１１、関連付け機能１１３Ａ、表示制御機能１１５Ａ、システム制御機能１１７、及びキャプチャ機能１９は、制御プログラムとして組み込まれていてもよいし、処理回路１１Ａ自体に各機能を実行可能な専用のハードウェア回路が組み込まれていてもよい。
【０１０７】
次に、第２の実施形態に係る医用情報表示装置１Ａの各種動作について、図を参照して説明する。
【０１０８】
まず、第２の実施形態に係る医用情報表示装置１Ａが、診療に関するメモを保存する動作について説明する。図１１は、第２の実施形態に係る医用情報表示装置１Ａが、診療に関するメモを保存する際の処理回路１１Ａの動作の例を表すフローチャートである。以下の説明では、処理回路１１Ａは、通信インターフェース１５を介し、データウェアハウス６のメモリ６２に記憶されている特定の同一患者についての診療情報６２１を読み出し、ユーザから表示指示された診療情報をディスプレイ１３に表示するものとする。また、処理回路１１Ａは、ユーザから表示指示された医用画像を表す医用画像データを含む医用画像ファイルを、例えば、ＰＡＣＳ５から読み出してディスプレイ１３に表示するものとする。このとき、処理回路１１Ａは、例えば、当該表示指示の入力を行ったユーザにより指定された画像情報が表す医用画像ファイルの所在を表す情報に基づいて、当該医用画像ファイルをＰＡＣＳ５から読み出す。
【０１０９】
また、処理回路１１Ａは、メモが入力される前に、予めユーザの表示指示に従い、診療情報を含む診療画面をディスプレイ１３に表示しているものとする。このとき、ユーザは、例えば、入力インターフェース１２を介して、診療目的に応じた第１レイアウト情報を選択しているものとする。そして、処理回路１１Ａは、ユーザの選択に応じて、メモリ１４から第１レイアウト情報を予め取得しているものとする。
【０１１０】
処理回路１１Ａは、入力インターフェース１２を介して、メモの保存指示を受け付ける（ステップＳＣ１）。第２の実施形態に係る医用情報表示装置１Ａのディスプレイ１３に表示される診療画面、及びメモ入力ウィンドウは、図４に示される診療画面ＩＳ１、及びメモ入力ウィンドウＷ１と同様である。
【０１１１】
処理回路１１Ａは、図４に示される保存ボタンＢ１が指定されると、予め取得した第１レイアウト情報に含まれるレイアウト保存名を取得する（ステップＳＣ２）。具体的には、処理回路１１Ａは、診療画面ＩＳ１に含まれる診療情報の配置の目的を表すレイアウト保存名「ＢＢ症例診断用」を取得する。
【０１１２】
処理回路１１Ａは、レイアウト保存名を取得すると、例えば、保存指示を受け付けた際に表示されている画面、すなわち図４に示される診療画面ＩＳ１をキャプチャする。これにより、処理回路１１Ａは、診療画面ＩＳ１に関するキャプチャ画面を表すキャプチャ情報を取得する（ステップＳＣ３）。
【０１１３】
処理回路１１Ａは、キャプチャ情報を取得すると、関連付け機能１１３Ａを実行し、ステップＳＣ１において保存指示されたメモに対して、ステップＳＣ２において取得したレイアウト保存名、及びキャプチャ情報を、第３レイアウト情報として関連付ける（ステップＳＣ４）。
【０１１４】
このとき、処理回路１１Ａは、入力されたメモの内容に対して、メモ入力者、メモ入力日時、及びメモ入力時に図４に示される診療画面ＩＳ１において指定されていた指定日時も関連付ける。具体的には、処理回路１１Ａは、入力されたメモの内容「検査計測値の急激な増減あり」に対して、メモ入力者「user_2」、メモ入力日時「2016-05-02 21:00」、及びメモ入力時に図４に示される診療画面ＩＳ１において指定されていた指定日時「2016-05-02 17:00」を関連付ける。
【０１１５】
処理回路１１Ａは、例えば、通信インターフェース１５を介し、ＤＷＨ６の処理回路６１に対し、関連付けられたメモの内容、メモ入力者、メモ入力日時、指定日時、及び第３レイアウト情報を、メモ情報６２２の１レコードとしてメモリ６２に記憶するよう指示する（ステップＳＣ５）。これにより、ＤＷＨ６の処理回路６１は、登録機能６１２を実行し、関連付けられたメモの内容、メモ入力者、メモ入力日時、指定日時、及び第３レイアウト情報を、メモ情報６２２の１レコードとしてメモリ６２に記憶する。
【０１１６】
次に、第２の実施形態に係る医用情報表示装置１Ａが、診療に関するメモを表示する動作について説明する。図１２は、第２の実施形態に係る医用情報表示装置１Ａが、診療に関するメモを表示する際の処理回路１１Ａの動作の例を表すフローチャートである。以下の説明では、処理回路１１Ａは、例えば、入力インターフェース１２を介したユーザの指示に従い、ＤＷＨ６のメモリ６２から、メモ情報６２２に含まれる必要なレコードを予め取得しているものとする。また、診療に関するメモを参照するユーザは、「user_3」であるものとする。
【０１１７】
処理回路１１Ａは、例えば、入力インターフェース１２を介して、特定の患者について、メモ一覧の表示指示を受け付ける（ステップＳＤ１）。
【０１１８】
処理回路１１Ａは、特定の患者について、メモ一覧の表示指示を受け付けると、ＤＷＨ６のメモリ６２から予め取得したレコードを参照し、指定された患者に関するメモ一覧を表示する（ステップＳＤ２）。第２の実施形態において表示されるメモ一覧は、図７に示されるメモ一覧の例と同様である。
【０１１９】
処理回路１１Ａは、ステップＳＤ２において、指定された患者に関するメモ一覧を表示すると、個別のメモの表示指示を受け付ける（ステップＳＤ３）。
【０１２０】
このとき、ユーザは、例えば、入力インターフェース１２を介して、図７に示されるメモ一覧を表す領域Ｒ２４に含まれる領域Ｒ５１、又は、領域Ｒ５２を指定することにより、それぞれのメモについて、メモ入力時にディスプレイ１３に表示されていた診療画面の詳細を確認することができる。第２の実施形態においても、第１の実施形態と同様に、領域Ｒ５２が指定されるものとする。
【０１２１】
処理回路１１Ａは、図７に示される領域Ｒ５２が指定されると、ＤＷＨ６のメモリ６２から予め取得したレコードを参照し、表示指示されたメモに対応する第３レイアウト情報を読み出す（ステップＳＤ４）。具体的には、処理回路１１Ａは、表示指示されたメモの内容「検査測定値の急激な増減あり」に対応する第３レイアウト情報を、ＤＷＨ６のメモリ６２から予め取得したレコードを参照して読み出す。読み出した第３レイアウト情報は、図１１に示されるステップＳＣ３において取得されたキャプチャ情報を含む。
【０１２２】
処理回路１１Ａは、表示指示されたメモを、取得した第３レイアウト情報に含まれるキャプチャ情報に基づくキャプチャ画面と共に表示する（ステップＳＤ５）。図１３は、第２の実施形態に係る医用情報表示装置１Ａのディスプレイ１３に表示されるキャプチャ画面ＩＳ２、及びメモウィンドウＷ３の例を表す図である。図１３では、例えば、キャプチャ画面ＩＳ２は、図７に示される診療画面ＩＳ１とは異なる別ウィンドウとして表示されている。また、キャプチャ画面ＩＳ２に重畳される態様で、メモウィンドウＷ３がポップアップ表示されている。なお、図１３に示されるメモウィンドウＷ３は、キャプチャ画面ＩＳ２に含まれる態様で表示されていてもよい。
【０１２３】
図１３に示されるキャプチャ画面ＩＳ２は、図８に示される診療画面ＩＳ１と同じ情報を表している。これにより、ユーザは、第１の実施形態と同様に、入力されたメモと、メモ入力時に表示されていた診療画面との関係を把握することができる。
【０１２４】
また、図１３に示されるキャプチャ画面ＩＳ２は、閉じるボタンＢ４を有する。閉じるボタンＢ４は、キャプチャ画面ＩＳ２を表すウィンドウを閉じるために設けられたボタンである。図１３に示される閉じるボタンＢ４指定されると、処理回路１１Ａは、例えば、キャプチャ画面ＩＳ２を表すウィンドウを閉じる。このとき、処理回路１１Ａは、キャプチャ画面ＩＳ２を表すウィンドウと共にメモウィンドウＷ３を閉じてもよい。これにより、ユーザは、容易に他の診療業務に移行することが可能となる。
【０１２５】
第２の実施形態によれば、処理回路１１Ａは、入力されたメモに対して、メモ入力時に表示されていた診療画面をキャプチャした結果取得されるキャプチャ画面を表すキャプチャ情報を関連付ける。これにより、第１の実施形態と同様に、メモを参照するユーザは、入力されたメモと、メモ入力時に表示されていた診療画面との関係を容易に把握することができる。また、第１の実施形態と同様に、メモを入力するユーザは、メモ入力時に、どのユーザが見てもわかるように詳細な情報を記載する必要がない。
【０１２６】
［他の実施形態］
上記第１及び第２の実施形態では、例えば、図４に示される診療画面ＩＳ１には、診療情報として薬歴情報、バイタルサイン情報、及び検歴情報が表示されていたがこれに限定されない。例えば、図４に示される診療画面ＩＳ１において、処理回路１１は、診療情報として画像情報と関連する医用画像データに基づく医用画像を表示する。図１４は、他の実施形態に係る医用情報表示装置１のディスプレイ１３に表示される診療画面ＩＳ１、及びメモ入力ウィンドウＷ１を表す図である。図１４に示される診療情報を表す領域Ｒ２は、画像情報を表す領域Ｒ２１を含む。画像情報を表す領域Ｒ２１には、特定の患者に対する画像検査で取得された医用画像データに基づく医用画像が表示されている。当該医用画像を表す医用画像ファイルの所在は、画像情報により特定される。このとき、処理回路１１は、例えば、保存ボタンＢ１が指定されると、入力されたメモの内容に対して、図１４に示される画像情報を表す領域Ｒ２１に含まれる医用画像を表す医用画像データを関連付ける。これにより、ユーザは、例えばメモ入力時に表示されていた医用画像からもメモが入力された意図を把握することが可能となる。
【０１２７】
また、上記第１の実施形態では、処理回路１１は、例えば、図７に示されるメモ一覧を表す領域Ｒ２４に含まれる領域Ｒ５２が指定されることにより、図８に示される復元された診療画面ＩＳ１を表示するようにしていた。また、上記第２の実施形態では、処理回路１１Ａは、例えば、図７に示されるメモ一覧を表す領域Ｒ２４に含まれる領域Ｒ５２が指定されることにより、図１３に示されるキャプチャ画面ＩＳ２を表示するようにしていた。
【０１２８】
これに対して、他の実施形態に係る処理回路は、例えば、メモ入力時にディスプレイ１３に表示されていた診療画面の表示態様を選択できるようにしてもよい。具体的には、他の実施形態に係る処理回路は、例えば、図７に示されるメモ一覧を表す領域Ｒ２４に含まれる領域Ｒ５２が指定されると、図８に示される復元された診療画面ＩＳ１の表示、又は、図１３に示されるキャプチャ画面ＩＳ２の表示のいずれかを選択可能な選択画面をポップアップ表示する。これにより、ユーザは、例えば、診療の目的に応じて、診療画面の表示態様を選択することが可能となる。
【０１２９】
また、上記第１の実施形態において、処理回路１１は、第１レイアウト情報、及びメタ情報に基づく第２レイアウト情報に含まれる診療情報毎の診療データ種別、基準位置、表示サイズ、データ項目、及び表示期間に基づいて、診療画面を復元していたがこれに限定されない。例えば、診療画面を表示する際に生成されるメタ情報には、通常、第１レイアウト情報に含まれる診療情報毎の診療データ種別、基準位置、及び表示サイズと同等の情報が含まれている。このため、処理回路１１は、例えば、診療画面を表示する際に生成されるメタ情報から診療情報毎の診療データ種別、基準位置、表示サイズ、データ項目、及び表示期間を抽出し、診療画面を復元するようにしてもよい。
【０１３０】
上記説明において用いた「プロセッサ」という文言は、例えば、ＣＰＵ（Central Processing Unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１、及び２における複数の構成要素を１つのプロセッサへ統合してその機能を実現するようにしてもよい。
【０１３１】
以上説明した少なくとも１つの実施形態によれば、診療に関するメモの意図を理解するために必要なユーザの負担を軽減することができる。
【０１３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３３】
１、１Ａ…医用情報表示装置
２…ＨＩＳ
３…ＲＩＳ
４…医用画像診断装置
５…ＰＡＣＳ
６…ＤＷＨ
１１、１１Ａ…処理回路
１２…入力インターフェース
１３…ディスプレイ
１４…メモリ
１５…通信インターフェース
１９…キャプチャ機能
６１…処理回路
６２…メモリ
６３…通信インターフェース
１１１…取得機能
１１３、１１３Ａ…関連付け機能
１１５、１１５Ａ…表示制御機能
１１７…システム制御機能
１１９…キャプチャ機能
６１１…収集機能
６１２…登録機能
６２１…診療情報
６２２…メモ情報
【図１】
2020009014.tif 000003
【図２】
2020009014.tif 000004
【図３】
2020009014.tif 000005
【図４】
2020009014.tif 000006
【図５】
2020009014.tif 000007
【図６】
2020009014.tif 000008
【図７】
2020009014.tif 000009
【図８】
2020009014.tif 000010
【図９】
2020009014.tif 000011
【図１０】
2020009014.tif 000012
【図１１】
2020009014.tif 000013
【図１２】
2020009014.tif 000014
【図１３】
2020009014.tif 000015
【図１４】
2020009014.tif 000016